(57)【特許請求の範囲】
【請求項１】
局側からの通信回線を終端する回線終端部と、前記回線終端部が前記通信回線から受信したパケットをルーティングするルータ部と、前記ルータ部と前記回線終端部とに接続される統合制御部とを具備する加入者線終端装置であって、
前記統合制御部は、前記ルータ部の異常と前記回線終端部の異常を検出する異常検出部と、前記異常検出部が前記ルータ部の異常を検出した場合に、ルータリセット信号を出力し、前記異常検出部が前記回線終端部の異常を検出した場合に、ＯＮＵリセット信号を出力するリセット信号出力部とを具備し、
前記ルータ部は、前記ルータリセット信号を受信した場合に、該ルータ部をリセットするルータリセット部を具備し、
前記回線終端部は、前記ＯＮＵリセット信号を受信した場合に、該回線終端部をリセットするＯＮＵリセット部を具備し、
前記ルータ部は、パケットを処理するルータ主信号部と、
前記ルータ主信号部がＤＨＣＰサーバからＩＰアドレスを取得できない場合に、前記ルータ主信号部の故障を表すルータ故障情報を出力するルータ故障検出部とを備え、
前記異常検出部は、前記ルータ故障情報を受信した場合、前記ルータ部の異常を検出したこととする
ことを特徴とする加入者線終端装置。
【請求項２】
請求項１に記載した加入者線終端装置において、
前記ルータ部は、前記ルータ主信号部への上りパケットが観測される状況において、下りパケットが前記ルータ主信号部から送信されない場合に、前記ルータ主信号部の故障を表す第２ルータ故障情報を出力する第２ルータ故障検出部を備え、
前記異常検出部は、前記第２ルータ故障情報を受信した場合、前記ルータ部の異常を検出したこととする
ことを特徴とする加入者線終端装置。
【請求項３】
請求項１に記載した加入者線終端装置において、
前記回線終端部は、パケットを処理するＯＮＵ主信号部と、
局側との接続の状況を表す網接続状態と認証状態とに基づいて前記ＯＮＵ主信号部が故障しているか否かを判定し、前記ＯＮＵ主信号部が故障している場合に、前記ＯＮＵ主信号部の故障を表すＯＮＵ故障情報を出力するＯＮＵ故障検出部を備え、
前記異常検出部は、前記ＯＮＵ故障情報を受信した場合、前記回線終端部の異常を検出したこととする
ことを特徴とする加入者線終端装置。
【請求項４】
請求項３に記載した加入者線終端装置において、
前記回線終端部は、自身の認証を要求した場合において局側から送信される識別子を受信できない場合に、前記ＯＮＵ主信号部の故障を表す第２ＯＮＵ故障情報を前記統合制御部に送信する第２ＯＮＵ故障検出部を備え、
前記異常検出部は、前記第２ＯＮＵ故障情報を受信した場合、前記回線終端部の異常を検出したこととする
ことを特徴とする加入者線終端装置。
【請求項５】
局側からの通信回線を終端する回線終端部と、前記回線終端部が前記通信回線から受信したパケットをルーティングするルータ部と、前記ルータ部と前記回線終端部とに接続される統合制御部とを具備する加入者線終端装置が行う復旧方法であって、
前記統合制御部は、前記ルータ部の異常と前記回線終端部の異常を検出する異常検出ステップと、前記異常検出ステップで前記ルータ部の異常を検出した場合に、ルータリセット信号を出力し、前記異常検出ステップで前記回線終端部の異常を検出した場合に、ＯＮＵリセット信号を出力するリセット信号出力ステップとを行い、
前記ルータ部は、前記ルータリセット信号を受信した場合に、該ルータ部をリセットするルータリセットステップを行い、
前記回線終端部は、前記ＯＮＵリセット信号を受信した場合に、該回線終端部をリセットするＯＮＵリセットステップを行い、
前記ルータ部は、パケットを処理するルータ主処理ステップと、
前記ルータ主処理ステップでＤＨＣＰサーバからＩＰアドレスを取得できない場合に、前記ルータ主処理ステップの故障を表すルータ故障情報を出力するルータ故障検出ステップとを行い、
前記異常検出ステップは、前記ルータ故障情報を受信した場合、前記ルータ部の異常を検出したこととする
ことを特徴とする復旧方法。
【請求項６】
請求項５に記載した復旧方法において、
前記ルータ部は、前記ルータ主処理ステップで上りパケットが観測される状況において、下りパケットが送信されない場合に、前記ルータ主処理ステップの故障を表す第２ルータ故障情報を出力する第２ルータ故障検出ステップを行い、
前記異常検出ステップは、前記第２ルータ故障情報を受信した場合、前記ルータ部の異常を検出したこととする
ことを特徴とする復旧方法。
【請求項７】
請求項５に記載した復旧方法において、
前記回線終端部は、パケットを処理するＯＮＵ主信号ステップと、
局側との接続の状況を表す網接続状態と認証状態とに基づいて前記ＯＮＵ主信号ステップが故障しているか否かを判定し、前記ＯＮＵ主信号ステップが故障している場合に、前記ＯＮＵ主信号ステップの故障を表すＯＮＵ故障情報を出力するＯＮＵ故障検出ステップとを行い、
前記異常検出ステップは、前記ＯＮＵ故障情報を受信した場合、前記回線終端部の異常を検出したこととする
ことを特徴とする復旧方法。
【請求項８】
請求項７に記載した復旧方法において、
前記回線終端部は、自身の認証を要求した場合において局側から送信される識別子を受信できない場合に、前記ＯＮＵ主信号ステップの故障を表す第２ＯＮＵ故障情報を前記統合制御部に送信する第２ＯＮＵ故障検出ステップを行い、
前記異常検出ステップは、前記第２ＯＮＵ故障情報を受信した場合、前記回線終端部の異常を検出したこととする
ことを特徴とする復旧方法。
【発明の詳細な説明】
【技術分野】
【０００１】
本発明は、例えば光通信サービスシステムの加入者線終端装置において発生する異常を検出し、異常から復旧できるようにした加入者線終端装置と復旧方法に関する。
【背景技術】
【０００２】
ＦＴＴＨ（Fiber To The Home）サービスにおける加入者線終端装置（ＯＮＵ: Optical Network Unit）、ブロードバンドルータ等の利用者宅内に配置する通信装置の数は、通信システム全体では非常に多くの数になる。これらの装置は、ソフトウェア、ハードウェアの不具合、一時的な環境変化、宇宙線によるラッチアップ等によって、異常動作となる場合がある。
【０００３】
１台の装置が異常動作となる確率は低くても、通信システム全体で見た場合には、その数が膨大なため、頻繁に異常動作が発生することになる。利用者は、自端末が正常にインターネットに接続できない、或いは通信装置のランプ等で異常状態を発見した場合、装置の保全を行う通信事業者に対して、異常状態である旨を連絡し、復旧を要請する。
【０００４】
通信事業者は、遠隔で操作する等して異常状態からの復旧を試みるが、この間、利用者は通信サービスを利用することができない不利益を被る。また、通信事業者は、復旧に多くのコストを費やすことになる。
【０００５】
このような異常状態を回避する方法が例えば特許文献１に開示されている。
【先行技術文献】
【特許文献】
【０００６】
【特許文献１】特開平１０−２６９１１０号公報
【発明の概要】
【発明が解決しようとする課題】
【０００７】
異常状態を回避する方法としては、ソフトウェアプロセスの死活監視を行い、応答がない場合に強制終了するウォッチドッグタイマが周知である。また、特許文献１に開示された方法は、閾値以上の時間、ソフトウェアプロセスが動き続けるものを暴走状態と判断して異常状態を検出する方法である。また、通信ノード間で通信パケットを交換し、相互監視する仕組みによってハードウェア部分の異常を検出するＥｔｈｅｒ−ＯＡＭ等の仕組みも周知である。
【０００８】
しかしながら、ウォッチドッグタイマ及び特許文献１に開示された技術は、ソフトウェアの異常状態しか検出できない課題がある。また、ウォッチドッグタイマ等とＥｔｈｅｒ−ＯＡＭ等の方法は、異常状態を検出することが出来ても復旧することが出来ない課題がある。
【０００９】
本発明は、これらの課題に鑑みてなされたものであり、ソフトウェアとハードウェアの両方の異常状態が検出でき、その状態から自立的に復旧できる加入者線終端装置と復旧方法を提供することを目的とする。
【課題を解決するための手段】
【００１０】
本発明の加入者線終端装置は、局側からの通信回線を終端する回線終端部と、前記回線終端部が前記通信回線から受信したパケットをルーティングするルータ部と、前記ルータ部と前記回線終端部とに接続される統合制御部とを具備する加入者線終端装置であって、前記統合制御部は、前記ルータ部の異常と前記回線終端部の異常を検出する異常検出部と、前記異常検出部が前記ルータ部の異常を検出した場合に、ルータリセット信号を出力し、前記異常検出部が前記回線終端部の異常を検出した場合に、ＯＮＵリセット信号を出力するリセット信号出力部とを具備し、前記ルータ部は、前記ルータリセット信号を受信した場合に、該ルータ部をリセットするルータリセット部を具備し、前記回線終端部は、前記ＯＮＵリセット信号を受信した場合に、該回線終端部をリセットするＯＮＵリセット部を具備し、前記ルータ部は、パケットを処理するルータ主信号部と、前記ルータ主信号部がＤＨＣＰサーバからＩＰアドレスを取得できない場合に、前記ルータ主信号部の故障を表すルータ故障情報を出力するルータ故障検出部とを備え、前記異常検出部は、前記ルータ故障情報を受信した場合、前記ルータ部の異常を検出したこととする。
【００１１】
また、本発明の復旧方法は、局側からの通信回線を終端する回線終端部と、前記回線終端部が前記通信回線から受信したパケットをルーティングするルータ部と、前記ルータ部と前記回線終端部とに接続される統合制御部とを具備する加入者線終端装置が行う復旧方法であって、前記統合制御部は、前記ルータ部の異常と前記回線終端部の異常を検出する異常検出ステップと、前記異常検出部が前記ルータ部の異常を検出した場合に、ルータリセット信号を出力し、前記異常検出部が前記回線終端部の異常を検出した場合に、ＯＮＵリセット信号を出力するリセット信号出力ステップとを行い、前記ルータ部は、前記ルータリセット信号を受信した場合に、該ルータ部をリセットするルータリセットステップを行い、前記回線終端部は、前記ＯＮＵリセット信号を受信した場合に、該回線終端部をリセットするＯＮＵリセットステップを行い、前記ルータ部は、パケットを処理するルータ主処理ステップと、前記ルータ主処理ステップでＤＨＣＰサーバからＩＰアドレスを取得できない場合に、前記ルータ主処理ステップの故障を表すルータ故障情報を出力するルータ故障検出ステップとを行い、前記異常検出ステップは、前記ルータ故障情報を受信した場合、前記ルータ部の異常を検出したこととする。
【発明の効果】
【００１２】
本発明によれば、ソフトウェアとハードウェアの両方の異常状態が検出でき、その状態から自立的に復旧できる加入者線終端装置と復旧方法を提供することができる。
【図面の簡単な説明】
【００１３】
【図１】本実施の形態の加入者線終端装置１の機能構成例を示す図である。
【図２】加入者線終端装置１の異常検出部３１が行う死活監視の動作シーケンスを示す図である。
【図３】加入者線終端装置１のルータ故障検出部１１０が行う故障検出の動作フローを示す図である。
【図４】加入者線終端装置１の第２ルータ故障検出部１１１が行う故障検出の動作フローを示す図である。
【図５】加入者線終端装置１のＯＮＵ故障検出部２１０が行う故障検出の動作フローを示す図である。
【図６】加入者線終端装置１の第２ＯＮＵ故障検出部２１１が行う故障検出の動作シーケンスを示す図である。
【図７】ルータリセット部１３の具体例を示す図である。
【図８】加入者線終端装置１を変形した加入者線終端装置２の機能構成例を示す図である。
【発明を実施するための形態】
【００１４】
以下、本発明の実施の形態について図面を用いて説明する。
【００１５】
図１に、本実施の形態の加入者線終端装置１の機能構成例を示す。加入者線終端装置１は、ルータ部１０と、回線終端部２０と、統合制御部３０とを具備する。
【００１６】
回線終端部２０は、（ＯＮＵ：Optical Network Unit）のことであり、一般的には光加入者線終端装置と称され、局側（ＯＬＴ: Optical Line Terminal）からの通信回線の終端部に接続されるものである。ルータ部１０は、回線終端部２０が通信回線から受信したパケットをルーティングするものである。
【００１７】
統合制御部３０は、ルータ部１０と回線終端部２０とに接続される。このように、加入者線終端装置１は、光加入者線終端装置とルータとを一体化したものである。
【００１８】
統合制御部３０は、異常検出部３１とリセット信号出力部３２を具備する。異常検出部３１は、ルータ部１０の異常と回線終端部２０の異常を検出する。
【００１９】
リセット信号出力部３２は、異常検出部３１がルータ部１０の異常を検出した場合に、ルータリセット信号を出力し、異常検出部３１が回線終端部２０の異常を検出した場合に、回線終端部２０をリセットするＯＮＵリセット信号を出力する。
【００２０】
ルータ部１０は、ルータ制御部１１と、ルータ主信号部１２と、ルータリセット部１３と、を具備する。ルータ制御部１１は、ルータ部１０を経由するパケットを処理するルータ主信号部１２を制御する。ルータリセット部１３は、ルータ制御部１１とルータ主信号部１２の両者をリセットする。
【００２１】
回線終端部２０は、ＯＮＵ制御部２１と、ＯＮＵ主信号部２２と、ＯＮＵリセット部２３とを具備する。ＯＮＵ制御部２１は、回線終端部２０を経由するパケットを処理するＯＮＵ主信号部２２を制御する。ＯＮＵリセット部２３は、ＯＮＵ制御部２１とＯＮＵ主信号部２２の両者をリセットする。
【００２２】
リセットとは、ルータ部１０又は回線終端部２０を初期化することであり、例えば、それぞれの電源をＯＮ→ＯＦＦ→ＯＮ（電源リセット）することである。
【００２３】
電源リセットを行うと、機器が正常な動作に回復する場合があることはよく知られている。よって、本実施形態の加入者線終端装置１の統合制御部３０は、ルータ部１０と回線終端部２０の少なくとも一方の異常を検出し、当該異常を検出した部分に電源リセットを施すことで、正常な動作状態に復帰させることができる。
【００２４】
この統合制御部３０とルータリセット部１３とＯＮＵリセット部２３の作用によって、加入者線終端装置１は、ルータ部１０又は回線終端部２０の異常状態からの復旧を自立的に行う。その結果、平均復旧時間（ＭＴＴＲ:Mean Time To Recovery）を短くできる。また、ウォッチドックやＥｔｈｅｒ−ＯＡＭ等の方法では検出できない異常からも復旧できる効果を奏する。
【００２５】
次に、異常（故障）検出の具体的な方法について説明する。
【００２６】
異常検出部３１は、例えば、ルータ部１０と回線終端部２０の少なくとも一方の動作停止を異常として検出する。図２に、異常検出部３１がルータ部１０と回線終端部２０の動作停止を検出する動作シーケンス図を示す。
【００２７】
統合制御部３０内の異常検出部３１は、ルータ制御部１１に、例えばPingコマンドを送信する（ステップＳ１）。ルータ制御部１１は、正常であればPingコマンドの応答を返信する（ステップＳ２）。
【００２８】
ルータ制御部１１が動作を停止していると、ステップＳ２の応答が得られない。異常検出部３１は、所定の時間、応答を待つ（死活検出）（ステップＳ３）。所定の時間内に応答が確認されない場合（ステップＳ４のYES）、異常検出部３１は、ルータ部１０の動作停止を検出する。
【００２９】
ルータ部１０の動作停止を検出した異常検出部３１は、ルータリセット信号を出力する（ステップＳ５）。ルータリセット部１３は、ルータリセット信号を受信してルータ部１０をリセットする（ステップＳ６）。
【００３０】
所定の時間内に応答が確認された場合（ステップＳ４のNO）、異常検出部３１は、次に回線終端部２０の動作が停止しているか死活検出を行う。以降の動作は、上記のルータ１０の死活検出と同じであり、一部の説明を省略する。
【００３１】
所定の時間内に、ＯＮＵ制御部２１からの応答が確認されない場合（ステップＳ１０のYES）、異常検出部３１は、回線終端部２０の動作が停止していることを検出する。回線終端部２０の動作停止を検出した異常検出部３１は、ＯＮＵリセット信号を出力する（ステップＳ１１）。ＯＮＵリセット部２３は、ＯＮＵリセット信号を受信して回線終端部２０をリセットする（ステップＳ１２）。
【００３２】
所定の時間内に、ＯＮＵ制御部２１からの応答が得られた場合（ステップＳ１０のNO）、異常検出部３１は、ルータ部１０の動作停止を検出する死活検出（ステップＳ３）と回線終端部２０の死活検出（ステップＳ９）を、ステップＳ１から繰り返す。このように、ルータ部１０の動作停止を検出する死活検出（ステップＳ３）と回線終端部２０の死活検出（ステップＳ９）とは、繰り返し行われるので、それぞれの動作停止は即座に検出できる。
【００３３】
異常検出部３１は、ルータ制御部１１の動作停止を検出した場合、ルータリセット信号を出力する。また、異常検出部３１は、ＯＮＵ制御部２１の動作停止を検出した場合、ＯＮＵリセット信号を出力する。
【００３４】
したがって、ルータ部１０と回線終端部２０のそれぞれは、動作を停止した異常状態から即座に復旧することができる。
〔ルータ部の故障検出〕
次に、ルータ制御部１１が行う、異常（故障）検出方法について説明する。以降の説明において、「異常」と「故障」の文言は同義とする。
【００３５】
ルータ制御部１１は、ルータ故障検出部１１０と、第２ルータ故障検出部１１１とを具備する。ルータ故障検出部１１０は、ルータ主信号部１２を経由してＤＨＣＰサーバからＩＰアドレスを取得できない場合に、ルータ主信号部１２の故障を表すルータ故障情報を出力する。
【００３６】
ＤＨＣＰサーバは、ＩＰアドレスを割り当てるサーバである。なお、図１において、ＤＨＣＰサーバはＯＬＴ側に配置されるが、その表記は省略している。
【００３７】
図３に、ルータ故障検出部１１０が行う故障検出の動作フローを示す。ルータ制御部１１は、ＤＨＣＰサーバにＩＰアドレス取得要求を行う（ステップＳ２０）。次にルータ故障検出部１１０は、ＩＰアドレスが取得できた否かを判定する（ステップＳ２１）。
【００３８】
ＩＰアドレスが取得できた場合は、ルータ主信号部１２を介した通信が正常である。ＩＰアドレスが取得できない場合は、ルータ主信号部１２を介した通信に異常がある。
【００３９】
ルータ故障検出部１１０は、ルータ主信号部１２の異常を検出した場合に、ルータ主信号部１２の故障を表すルータ故障情報を出力する。異常検出部３１は、ルータ故障情報が入力されると、ルータリセット信号を出力する。
【００４０】
つまり、ルータ故障検出部１１０がルータ主信号部１２の異常を検出した場合は、異常検出部３１がルータ部１０の異常を検出したことになる。その結果、ルータリセット部１３は、ルータ部１０をリセットできる。
【００４１】
なお、ＩＰアドレスの取得ができないことでルータ部１０をリセットした後に、再びＤＨＣＰサーバからＩＰアドレスが取得できない場合は、ＤＨＣＰサーバダウンの可能性がある。よって、ＩＰアドレスの取得ができないことでルータ部１０をリセットする動作は、２度行う必要はない。
【００４２】
次に、第２ルータ故障検出部１１１が行う、異常（故障）検出方法について説明する。図３に、第２ルータ故障検出部１１１が行う故障検出の動作フローを示す。ルータ部１０に、例えばパーソナルコンピュータ（以降、ＰＣ）が接続されていると仮定すると、ＰＣからルータ主信号部１２に上りパケットが送信される。上りパケットが送信されている状況においては、ルータ主信号部１２からＰＣへ下りパケットが送信される。
【００４３】
この下りパケットの有無に基づいてルータ主信号部１２の異常を検出することができる。第２ルータ故障検出部１１１は、上りパケットの通過数をカウント出来ている状況（ステップＳ３０の「あり」）で、且つ、下りパケットの通過数をカウント出来ない状況（ステップＳ３１の「なし」）を、ルータ主信号部１２の故障として検出する（ステップＳ３１の「なし」）。パケットの通過数をカウント出来ていることは、パケットが観測される状況である。
【００４４】
第２ルータ故障検出部１１１は、ルータ主信号部１２の異常を検出した場合に、ルータ主信号部１２の故障を表す第２ルータ故障情報を出力する。異常検出部３１は、第２ルータ故障情報が入力されると、ルータリセット信号を出力する。つまり、第２ルータ故障検出部１１１が第２ルータ故障情報を出力した場合は、異常検出部３１がルータ部１０の異常を検出したこととなる。
【００４５】
〔回線終端部の故障検出〕
次に回線終端部２０が行う故障検出について説明する。ＯＮＵ故障検出部２１０は、局側との接続の状況を表す網接続状態と認証状態とに基づいてＯＮＵ主信号部２２が故障しているか否かを判定し、ＯＮＵ主信号部２２が故障している場合に、ＯＮＵ主信号部の故障を表すＯＮＵ故障情報を出力する。網接続状態は、ＰＯＮ−ＬＩＮＫ情報とも称され、センター局との接続状況を表す情報である。網接続状態は、回線終端部２０がＯＬＴと接続していれば「ＵＰ」、接続していなければ「ＤＯＷＮ」となる。なお、ＰＯＮとは、アクセス網形態の一つである「Passive Optical Network」の略称である。
【００４６】
また、認証状態は、回線終端部２０が局側（ＯＬＴ）に認証されているか否かを表す情報である。認証状態は、回線終端部２０が認証されていれば「認証済み」、認証されていなければ「認証断」となる。
【００４７】
図５に、ＯＮＵ故障検出部２１０が行う故障検出の動作フローを示す。ＯＮＵ制御部２１は、ＯＮＵ主信号部２２から網接続状態と認証状態を取得する（ステップＳ４０）。
【００４８】
ＯＮＵ故障検出部２１０は、ＯＮＵ主信号部２２から取得した網接続状態と認証状態とが、「ＤＯＷＮ」及び「認証断」である場合（ステップＳ４１のYES）に、ＯＮＵ主信号部２２の故障を表すＯＮＵ故障情報を出力する（ステップＳ４２）。ＯＮＵ故障検出部２１０がＯＮＵ故障情報を出力した場合は、異常検出部３１が回線終端部２０の異常を検出したこととする。このことは、上記のルータ故障情報、第２ルータ故障情報と同じである。つまり、ＯＮＵ故障検出部２１０がＯＮＵ故障情報を出力すると、回線終端部２０はＯＮＵリセット部２３によってリセットされる。
【００４９】
次に、第２ＯＮＵ故障検出部２１１が行う、異常（故障）検出方法について説明する。第２ＯＮＵ故障検出部２１１は、ＯＮＵ主信号部２２を介して局側（ＯＬＴ）に、自身（回線終端部２０）の認証を要求した場合において、局側から送信される識別子を受信できない場合に、ＯＮＵ主信号部２２の故障を表す第２ＯＮＵ故障情報を統合制御部３０に送信する。
【００５０】
図６に、第２ＯＮＵ故障検出部２１１が行う故障検出の動作フローを示す。本実施の形態の加入者線終端装置１（回線終端部２０）を、光ファイバを介してＯＬＴに接続すると、ＯＬＴは回線終端部２０を自動的に発見し、通信リンクを自動的に確立する。
【００５１】
この通信リンクを自動的に確立するのは、ＭＰＣＰ（Multi Point Control Protocol）で行われる。ＭＰＣＰは、先ずＯＬＴからディスカバリーゲート信号をＯＮＵ制御部２１に送信する（ステップＳ５０）。ＯＮＵ制御部２１は、ディスカバリーゲート信号の応答として登録要求を、ＯＮＵ主信号部２２を介してＯＬＴに送信する（ステップＳ５１）。
【００５２】
登録要求をＯＬＴに送信する際に、ＯＮＵ主信号部２２が故障していると仮定すると、登録要求はＯＬＴに送信されない（図６中の×）。そのため、ＯＮＵ制御部２１は、ＯＬＴから識別子を含む登録通知を受信できない。
【００５３】
第２ＯＮＵ故障検出部２１１は、ＯＬＴからの応答がない場合（ステップＳ５４の「なし」）に、ＯＮＵ主信号部２２の故障を表す第２ＯＮＵ故障情報を出力する（ステップＳ５５）。第２ＯＮＵ故障情報が出力された場合を、異常検出部３１が回線終端部２０の異常を検出したこととする点については、上記のＯＮＵ故障情報等と同じである。
【００５４】
以上説明したように、本実施形態の加入者線終端装置１によれば、ルータ制御部１１、ルータ主信号部１２、ＯＮＵ制御部２１、ＯＮＵ主信号部２２、のそれぞれの異常を検出することができる。なお、本実施形態では、統合制御部３０を、ルータ部１０と回線終端部２０とは分離した例で説明したがこの例に限定されない。統合制御部３０の機能構成部は、ルータ部１０に含めてもよい。また、統合制御部３０の機能構成部を、回線終端部２０に含めてもよい。
【００５５】
図８に、加入者線終端装置１を変形した加入者線終端装置２の機能構成例を示す。加入者線終端装置２は、ルータ部２１０と、回線終端部２２０とを具備する。加入者線終端装置２は、統合制御部３０を具備しない点で加入者線終端装置１（図１）と異なる。
【００５６】
統合制御部３０の異常検出部３１とリセット信号出力部３２は、ルータ制御部２１１とＯＮＵ制御部２２１とに、それぞれ分散して異常検出部２１２，２２２及びリセット信号出力部２１３，２２３として配置される。異常検出部２１２は、回線終端部２２０の異常を検出する。また、異常検出部２２２は、ルータ部２１０の異常を検出する。それぞれが異常を検出した後の動作は、上記の実施形態の動作と同じである。このように、統合制御部３０の機能部は、加入者線終端装置１の内部であれば何れの構成に持たせてもよく、本実施形態に限定されない。
【００５７】
〔リセット部〕
図７に、ルータ部１０をリセットするルータリセット部１３の具体例を示す。図７のルータリセット部１３は、ＰＭＯＳＴｒ１３０とＮＭＯＳＴｒ１３１のゲート電極を共通に接続して入力端とし、ドレイン電極同士を共通に接続して出力端とするインバータで構成した例である。入力端にルータリセット信号が接続され、出力端からルータ部１０の正電源Ｖ＋が供給される。
【００５８】
ルータリセット信号が「偽」の場合は、ＰＭＯＳＴｒ１３０が導通してルータ部１０に正電源Ｖ＋が供給される。ルータリセット信号が「真」の場合は、ＮＭＯＳＴｒ１３１が導通してルータ部１０には負電源Ｖ−しか供給されなくなり電源が遮断される（電源リセット）。
【００５９】
ＯＮＵリセット部２３も、同様に構成してもよい。また、ＭＯＳＴｒ以外のトランジスタを用いてもよい。また、ルータリセット部１３とＯＮＵリセット部２３にリレーを用いてもよい。
【００６０】
なお、回線終端部２０をリセットするＯＮＵリセット部２３は、ルータリセット部１３と同様に構成する。また、本実施の形態のリセットは、電源リセットに限られない。ルータ部１０の故障を検出した場合は、ルータ部１０を、ソフトウェアで初期化してもよい。具体的には、例えば上記のＭＰＣＰで行う登録処理を、異常を検出した場合に実行するようにしてもよい。ソフトウェアで初期化してもよいことは、回線終端部２０についても同様である。
【００６１】
以上説明したように本実施形態の加入者線終端装置１によれば、ソフトウェアとハードウェアの両者の異常によって発生する通信不可能状態を、当該装置のみで検出して復旧することができる。また、本実施形態の復旧方法は、人手を介さずに自動的に行うことが可能であることから、故障発生から復旧までの平均復旧時間の最小化に寄与する。
【００６２】
なお、本実施形態の説明を、ＰＯＮシステムを例に行ったが、本実施形態に示した技術思想は、ＰＯＮシステム以外のネットワークにも適用することが可能である。このように本発明は、上記した実施形態に限定されるものではなく、その要旨の範囲内で数々の変形が可能である。
【符号の説明】
【００６３】
１：加入者線終端装置
１０：ルータ部
１１：ルータ制御部
１２：ルータ主信号部
１３：ルータリセット部
２０：回線終端部
２１：ＯＮＵ制御部
２２：ＯＮＵ主信号部
２３：ＯＮＵリセット部
１１０：ルータ故障検出部
１１１：第２ルータ故障検出部
２１０：ＯＮＵ故障検出部
２１１：第２ＯＮＵ故障検出部
【図１】
0006263211.tif 000002
【図２】
0006263211.tif 000003
【図３】
0006263211.tif 000004
【図４】
0006263211.tif 000005
【図５】
0006263211.tif 000006
【図６】
0006263211.tif 000007
【図７】
0006263211.tif 000008
【図８】
0006263211.tif 000009